(57)【要約】      （修正有）【課題】多様な角度でベンディングすることができるフレキシブル携帯端末装置を提供する。【解決手段】フレキシブル携帯端末装置は、端末装置ボディー１１０の一端で端末装置を前面または背面にベンディングするフォールディング部１６０と、端末装置ボディー１１０の上位に実装されて、フォールディング部１６０のベンディング方向によって前面または背面にベンディングするフレキシブルディスプレイ３００及びフォールディング部ベンディング時、フォールディング部１６０とフレキシブルディスプレイ３００の延伸率の差によって発生する圧縮／引張程度の差によってフレキシブルディスプレイ３００の一端をスライディングさせるスライディング部を含むことを特徴とする。【選択図】図７
2014161009.tif 000002
【特許請求の範囲】
【請求項１】
端末装置ボディーの一端で上記端末装置を前面または背面にベンディングするフォールディング部と、
前記端末装置ボディーの上位に実装されて、前記フォールディング部のベンディング方向によって前面または背面にベンディングするフレキシブルディスプレイと、
前記フォールディング部のベンディング時、前記フォールディング部と前記フレキシブルディスプレイの延伸率の差によって発生する、圧縮または引張程度の差によって、前記フレキシブルディスプレイの一端をスライディングさせるスライディング部と、
を含むことを特徴とする、フレキシブル携帯端末装置。
【請求項２】
前記フォールディング部は、
前記フォールディング部のベンディング状態を維持させるフリーストップ（ｆｒｅｅ  ｓｔｏｐ）ヒンジ装置をさらに備えることを特徴とする、請求項１に記載のフレキシブル携帯端末装置。
【請求項３】
前記フォールディング部は、
前記端末装置ボディーの前面と背面に形成された凹凸構造で構成されることを特徴とする、請求項２に記載のフレキシブル携帯端末装置。
【請求項４】
前記フリーストップヒンジ装置は、
前記端末装置ボディーに形成された凹凸構造を少なくとも一個所以上横切って配置されることを特徴とする、請求項３に記載のフレキシブル携帯端末装置。
【請求項５】
前記スライディング部は、
前記フォールディング部が前面にベンディング時、前記フォールディング部と前記フレキシブルディスプレイの延伸率の差によって前記フレキシブルディスプレイの一端を前記フレキシブル携帯端末装置の外郭方向にスライディングさせることを特徴とする、請求項１に記載のフレキシブル携帯端末装置。
【請求項６】
前記スライディング部は、
前記フォールディング部が背面にベンディング時、前記フォールディング部と前記フレキシブルディスプレイの延伸率の差と前記端末装置ボディーの厚さによって前記フレキシブルディスプレイの一端を前記フレキシブル携帯端末装置の内郭方向にスライディングさせることを特徴とする、請求項１に記載のフレキシブル携帯端末装置。
【請求項７】
前記スライディング部は、
前記端末装置ボディーの上端と下端に各々配置されることを特徴とする、請求項１に記載のフレキシブル携帯端末装置。
【請求項８】
前記スライディング部は、
スライドと、
前記スライドのスライディング範囲を限定し、前記端末装置ボディーの表面の一部がエッチングされて形成されたスロットと、
前記スロットの両端に前記スライドのスライディングをガイドするガイド部と、
を含んで構成されることを特徴とする、請求項７に記載のフレキシブル携帯端末装置。
【請求項９】
前記フレキシブルディスプレイは、
前記フォールディング部の複数の凹凸構造のうち、中心部分の少なくとも１つの凸な面に粘着され、前記上端と下端のスライド面に粘着された構造であることを特徴とする、請求項７に記載のフレキシブル携帯端末装置。
【請求項１０】
前記フレキシブルディスプレイの縁に対向して前記端末装置ボディーに形成され、前記フレキシブルディスプレイのスライディング駆動時にも前記フレキシブルディスプレイの縁の一部をカバーするノッチをさらに含むことを特徴とする、請求項１に記載のフレキシブル携帯端末装置。
【請求項１１】
前記ノッチは、
前記フレキシブルディスプレイのスライディング駆動により露出される前記端末装置ボディー部分をカバーすることを特徴とする、請求項１０に記載のフレキシブル携帯端末装置。
【請求項１２】
前記フレキシブル携帯端末装置の縁の一端に備えられるフックと、前記フレキシブル携帯端末装置のフォールディング時、前記一端に対向する他端に備えられて、前記フックと締結されるフック溝をさらに含むことを特徴とする、請求項１に記載のフレキシブル携帯端末装置。
【請求項１３】
前記フレキシブルディスプレイを除外した前記携帯端末装置の側面と背面を覆いかぶせる端末装置カバーをさらに備えることを特徴とする、請求項３に記載のフレキシブル携帯端末装置。
【請求項１４】
前記携帯端末装置のベンディングまたはフォールディング時、前記フレキシブルディスプレイが維持しなければならない最小のしきい値は、前記フォールディング部の上辺長さ、前記フォールディング部の厚さ、前記フォールディング部の個数及び隣り合う凹凸間の角、歯構造全体区間長さのうち、少なくとも１つに基づいて決定されることを特徴とする、請求項１３に記載のフレキシブル携帯端末装置。
【請求項１５】
前記端末装置カバーの縁は、
前記縁が前記フレキシブルディスプレイと接する端部から斜線で折り曲げられる折曲部を含むことを特徴とする、請求項１３に記載のフレキシブル携帯端末装置。
【請求項１６】
前記折曲部は、
前記端末装置カバーが前記フレキシブルディスプレイと接する端部から折り曲げられた斜線が前記フォールディング部の垂直線上の高さと同一な水平線上まで形成されたことを特徴とする、請求項１５に記載のフレキシブル携帯端末装置。
【請求項１７】
フレキシブル携帯端末装置による表示画面を出力するフレキシブルディスプレイと、
前記フレキシブル携帯端末装置の上端と下端を前面または背面に所定の角度でベンディングさせるフォールディング構造を一面に含み、前記ベンディング駆動によって前記フレキシブルディスプレイの一端をスライディングさせるスライディング構造を他面に含む端末装置ボディーと、
を含むことを特徴とする、フレキシブル携帯端末装置。
【請求項１８】
前記最小のしきい値をｘ、前記フォールディング部の上辺長さをｙ、前記フォールディング部の厚さをｔ、前記フォールディング部の個数をｎ、前記隣り合う凹凸間の角を２θ、前記歯構造全体区間長さをＺ、前記フレキシブルディスプレイの曲面長さをＺ’に設定し、
前記歯構造全体区間長さであるＺと前記フレキシブルディスプレイの曲面長さＺ’とが同一である時、前記歯構造全体区間長さであるＺは以下の数式に基づいて演算されることを特徴とする、請求項１４に記載のフレキシブル携帯端末装置。
【数１】
2014161009.tif 000006
【発明の詳細な説明】
【技術分野】
【０００１】
本発明はフレキシブル携帯端末装置に関し、より詳しくは、ユーザが携帯端末装置をフレキシブルディスプレイの離脱や破損無しで前面または背面にベンディング（ｖｅｎｄｉｎｇ）またはフォールディング（ｆｏｌｄｉｎｇ）できるフレキシブル携帯端末装置に関する。
【背景技術】
【０００２】
近来、社会が本格的な情報化時代に入るにつれて、大量の情報を処理し、これを表示するディスプレイ（Ｄｉｓｐｌａｙ）分野が急速に発展し、これに相応して多様な表示装置が開発されて脚光を浴びている。
【０００３】
表示装置は、液晶表示装置（ＬＣＤ：Ｌｉｑｕｉｄ  Ｃｒｙｓｔａｌ  Ｄｉｓｐｌａｙ  ｄｅｖｉｃｅ）、プラズマ表示装置（ＰＤＰ：Ｐｌａｓｍａ  Ｄｉｓｐｌａｙ  Ｐａｎｅｌ  ｄｅｖｉｃｅ）、電界放出表示装置（ＦＥＤ：Ｆｉｅｌｄ  Ｅｍｉｓｓｉｏｎ  Ｄｉｓｐｌａｙ  ｄｅｖｉｖｃｅ）、電気発光表示装置（ＥＬＤ：Ｅｌｅｃｔｒｏ  Ｌｕｍｉｎｅｓｃｅｎｃｅ  Ｄｉｓｐｌａｙ  Ｄｅｖｉｃｅ）などが開発されてきたが、これら表示装置は薄型化、軽量化、低消費電力化を追求する方向に進化している。
【０００４】
これらの共通点は、ガラスのような硬い基板を使用して平板形態に具現されるという点である。したがって、現在の技術で幾つかの核心技術をフレキシブルディスプレイに合うように開発すれば（例えば、柔軟で、かつ透明な基板にガラス基板を取り替えるなどの）、まさにフレキシブルディスプレイになるものである。
【０００５】
同様に、このようなフレキシブルディスプレイを採用するように電子製品を開発すれば、まさにフレキシブル電子装置が開発できる。
【０００６】
したがって、このようなフレキシブルディスプレイの発展によって、フレキシブルディスプレイを採用する携帯端末装置、モニタ、ＴＶなどと装置の構造に関する開発も急を要するになった。
【０００７】
例えば、フレキシブルディスプレイを採用する電子装置の構造がベンディングやフォールディング時、フレキシブルディスプレイとの延伸率の差によって破損されたり離脱したりしないように相互間の差を補完することができる構造の開発が急を要する実状である。
【発明の概要】
【発明が解決しようとする課題】
【０００８】
上記のような問題を解決するための本発明の目的は、ユーザの利用用途と好みによって携帯端末装置を多様な角度でベンディング（ｖｅｎｄｉｎｇ）することができるフレキシブル携帯端末装置を提供することにある。
【０００９】
本発明の更に他の目的は、携帯端末装置に直接凹凸構造を形成してフォールディング（ｆｏｌｄｉｎｇ）構造を具現することによって、携帯端末装置のベンディングのための部品を別に追加せず、全体的な厚さを増さないことができる。また、製作者の立場での製造が容易であり、ユーザの立場で携帯と利用簡便性を追求することができるフレキシブル携帯端末装置を提供することにある。
【課題を解決するための手段】
【００１０】
前述したような目的を達成するための本発明の実施形態に従うフレキシブル携帯端末装置は、端末装置ボディーの一端で上記端末装置を前面または背面にベンディング（ｖｅｎｄｉｎｇ）するフォールディング部と、上記端末装置ボディーの上位に実装されて、上記フォールディング部のベンディング方向によって前面または背面にベンディングするフレキシブルディスプレイ、及び上記フォールディング部のベンディング時、上記フォールディング部と上記フレキシブルディスプレイとの延伸率の差によって発生する圧縮／引張程度の差によって上記フレキシブルディスプレイの一端をスライディングさせるスライディング部を含むことができる。
【００１１】
本発明の実施形態に従うフレキシブル携帯端末装置は、フレキシブル携帯端末装置による表示画面を出力するフレキシブルディスプレイ、及び上記フレキシブル携帯端末装置の上端と下端を前面または背面に所定の角度でベンディングさせるフォールディング構造を一面に含み、上記ベンディング駆動によって上記フレキシブルディスプレイの一端をスライディングさせるスライディング構造を他面に含む端末装置ボディーを含むことができる。
【００１２】
前述したような内容は、当該分野の通常の知識を有する者が後述する本発明の具体的な説明からよりよく理解することができるようにするために本発明の特徴及び技術的な長所を多少広く略述したものである。このような特徴及び長所の他にも本発明の請求範囲の主題を形成する本発明の追加的な特徴及び長所が後述する本発明の具体的な説明からよく理解されるべきである。
【発明の効果】
【００１３】
本発明のフレキシブル携帯端末装置は、携帯端末装置の利用用途によってフレキシブル携帯端末装置を前面または背面の多様な角度でベンディングすることができる利点がある。
【００１４】
具体的に、フレキシブル携帯端末装置のベンディング時、端末装置ボディーのベンディング部分とフレキシブルディスプレイの延伸率の差によって発生する圧縮／引張程度の差によって、フレキシブルディスプレイの一端をスライディングさせることによって、フレキシブルディスプレイが端末装置ボディーから離脱したり破損されたりすることを防止することができる。
【００１５】
また、本発明はフレキシブル携帯端末装置の上端と下端との比率を多様に調節してベンディング状態を維持させることによって、フレキシブル携帯端末装置を多様な割合で据え置くことができ、操作が容易であり、携帯の簡便性を提供する利点がある。
【００１６】
併せて、本発明はフレキシブル携帯端末装置のフォールディング状態維持構造において、磁性を省略することによって、携帯端末装置の運用及び作動に電気的、物理的影響をほとんど及ぼさないで装置の信頼性を向上させることができる。
【図面の簡単な説明】
【００１７】
【図１】本発明の実施形態に従うフレキシブル携帯端末装置の前面と背面を概略的に示す図である。
【図２】本発明の実施形態に従うフレキシブル携帯端末装置のフォールディングされた形態を示す図である。
【図３】本発明の実施形態に従うフレキシブル携帯端末装置を前面にベンディングして立てた形態である。
【図４】本発明の実施形態に従うフレキシブル携帯端末装置を前面にベンディングして立てた形態である。
【図５】本発明の実施形態に従うフレキシブル携帯端末装置を背面にベンディングした形態を概略的に示す図である。
【図６ａ】本発明の実施形態に従うフレキシブル携帯端末装置の前面の構造を概略的に示す図である。
【図６ｂ】本発明の実施形態に従うフレキシブル携帯端末装置の前面の構造を概略的に示す図である。
【図７】本発明の実施形態に従うフレキシブル携帯端末装置の斜視図を概略的に示す図である。
【図８】一般的な携帯端末装置の上に実装されたフレキシブルディスプレイを概略的に示す図である。
【図９】本発明の実施形態に従うフレキシブル携帯端末装置のフォールディング部の構造を示す図である。
【図１０】本発明の実施形態によるフォールディング部の側断面を示す図である。
【図１１ａ】本発明の実施形態によるフレキシブル携帯端末装置のベンディング例示を示す図である。
【図１１ｂ】本発明の実施形態によるフレキシブル携帯端末装置のベンディング例示を示す図である。
【図１１ｃ】本発明の実施形態によるフレキシブル携帯端末装置のベンディング例示を示す図である。
【図１１ｄ】本発明の実施形態によるフレキシブル携帯端末装置のベンディング例示を示す図である。
【図１２】本発明の実施形態によるフレキシブル携帯端末装置が広げられた例示を示す図である。
【図１３】本発明の実施形態に従うフレキシブル携帯端末装置が前面にフォールディングされた場合の例を示す図である。
【図１４】本発明の実施形態に従うフレキシブル携帯端末装置が背面にフォールディングされた場合の例を示す図である。
【図１５】一般的な端末装置カバーの構造を示す図である。
【図１６】本発明の実施形態に従う端末装置カバーの詳細な構造を説明するための図である。
【図１７】本発明の実施形態に従う端末装置カバーの詳細な構造を説明するための図である。
【図１８】本発明の実施形態に従うフレキシブル携帯端末装置の製造のための一部工程断面図である。
【発明を実施するための形態】
【００１８】
以下、添付した図面を参照して本発明の好ましい実施形態を詳細に説明する。この際、添付した図面において同一な構成要素はできる限り同一な符号で表していることに留意しなければならない。また、本発明の要旨を曖昧にすることがある公知機能及び構成に対する詳細な説明は省略する。
【００１９】
本発明の実施形態において、携帯端末装置は、タブレットＰＣ、移動通信端末機、移動電話機、個人情報端末機（ＰＤＡ：Ｐｅｒｓｏｎａｌ  Ｄｉｇｉｔａｌ  Ａｓｓｉｓｔａｎｔ）、スマートフォン（ｓｍａｒｔ  ｐｈｏｎｅ）、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）端末機、ＣＤＭＡ（Ｃｏｄｅ  Ｄｉｖｉｓｉｏｎ  Ｍｕｌｔｉｐｌｅ  Ａｃｃｅｓｓ）端末機、  ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）端末機、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）端末機、ＧＰＲＳ（Ｇｅｎｅｒａｌ  Ｐａｃｋｅｔ  Ｒａｄｉｏ  Ｓｅｒｖｉｃｅ）端末機、  ＥＤＧＥ（Ｅｎｈａｎｃｅｄ  Ｄａｔａ  ＧＳＭ（登録商標）    Ｅｎｖｉｓｏｎｍｅｎｔ）端末機、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）端末機、及びディジタル放送（Ｄｉｇｉｔａｌ  Ｂｒｏａｄｃａ−  ｓｔｉｎｇ）端末機、及びＡＴＭ（Ａｕｔｏｍａｔｅｄ  Ｔｅｌｌｅｒ  Ｍａｃｈｉｎｅ）などのような全ての情報通信機器及びマルチメディア機器とそれに対する応用にも適用できる。
【００２０】
図１は本発明の実施形態に従うフレキシブル携帯端末装置の前面と背面を概略的に示す図であり、図２は本発明の実施形態に従うフレキシブル携帯端末装置のフォールディングされた形態を示す図であり、図３及び図４は本発明の実施形態に従うフレキシブル携帯端末装置を前面にベンディングして立てた形態であり、図５は本発明の実施形態に従うフレキシブル携帯端末装置を背面にベンディングした形態を概略的に示す図である。
【００２１】
図１を参照すると、本発明の実施形態に従うフレキシブル携帯端末装置１００は、端末装置のボディー１１０を具備し、端末装置のボディー１１０の前面の上に実装されたフレキシブルディスプレイ３００を含む。
【００２２】
端末装置ボディー１１０は、内外部に携帯端末装置を構成する多数の電子部品を含むことができる。例えば、集積回路（Ｉｎｔｅｇｒａｔｅｄ  Ｃｉｒｃｕｉｔ：ＩＣ）、カメラ、ＳＤメモリ、ＳＩＭカード、アンテナなどの電子部品が実装される薄い板である印刷回路基板（Ｐｒｉｎｔｅｄ  Ｃｉｒｃｕｉｔ  Ｂｏａｒｄ）またはフレキシブル基板を内外部に含んで構成できる。
【００２３】
端末装置ボディー１１０は、プラスチック樹脂組成物であるアクリロニトリル−ブタジエン−スチレンブレンド（ＡＢＳ）、ポリカーボネート（ＰＣ）、ＰＯＭ（Ａｃｅｔａｌ  Ｒｅｓｉｎ）のような非金属性の硬質材料で形成されることができ、但し、端末装置ボディー１１０は上記素材に対して限定されない。
フレキシブルディスプレイ３００は、端末装置ボディー１１０の前面の上に一部面が付着されて実装、装着、接合などができる。例えば、両面テープ、粘着剤などのような方法によりフレキシブルディスプレイ３００の一部面が端末装置ボディー１１０の前面の一部に粘着できる。
【００２４】
フレキシブルディスプレイ３００の縁部位はフレキシブルディスプレイ３００の離脱や変形、損傷防止のために端末装置ボディー１１０に形成されたノッチ２２２（図６ｂ参照）によりカバーできる。フレキシブルディスプレイ３００は既存のガラス基板の代わりに薄いフレキシブル基板の上に形成された表示素子などで構成できる。
【００２５】
例えば、フレキシブルディスプレイ３００は液晶ディスプレイ（ＬＣＤ：Ｌｉｑｕｉｄ  Ｃｒｙｓｔａｌ  Ｄｉｓｐｌａｙ）、ＯＬＤＥ（Ｏｒｇａｎｉｃ  Ｌｉｇｈｔ  Ｅｍｉｔｔｉｎｇ  Ｄｉｏｄｅ）、電気永動ディスプレイ（ＥＰＤ：Ｅｌｅｃｔｒｏｐｈｏｒｅｔｉｃ  Ｄｉｓｐｌａｙ）などのうち、少なくとも１つで具備できる。
【００２６】
端末装置ボディー１１０の背面に端末装置カバー２００が粘着されることができ、端末装置カバー２００は、ラバー（ｒｕｂｂｅｒ）、ウレタン（ｕｒｅｔｈａｎｅ）、シリコン（ｓｉｌｉｃｏｎ）、革、ＴＰＥ、ＴＰＵなどのうちのいずれか１つ、またはこれらのうちの少なくとも１つ以上の結合素材としての軟質材料が利用できる。
【００２７】
本発明の実施形態に従うフレキシブル携帯端末装置１００は、図２に示すように前面にフォールディングされるか、図３に示すようにベンディングされた状態を維持し、これによってノートブックのような形態に立てられるか、図４に示すようにベンディングされた状態でブック（ＢＯＯＫ）形態に立てられるか、図５に示すように背面にベンディングされた状態を維持することができる。
【００２８】
このような本発明の実施形態に従うフレキシブル携帯端末装置１００の具体的な構成と構造に関して、以下図６ａ、図６ｂ、及び図７を参照して説明する。
【００２９】
図６ａは本発明の実施形態に従うフレキシブル携帯端末装置の前面の構造を概略的に示す図であり、図６ｂは本発明のフレキシブル携帯端末装置の縁の一部の断面を示す図であり、図７は本発明の実施形態に従うフレキシブル携帯端末装置１００の斜視図を概略的に示す図である。
【００３０】
図６ａ及び図７を参照すると、フレキシブル携帯端末装置１００は端末装置ボディー１１０と端末装置ボディー１１０の前面に実装されるフレキシブルディスプレイ３００を含んで構成できる。
【００３１】
端末装置ボディー１１０は、一端にフレキシブル携帯端末装置１００を前面または背面にベンディングまたは折畳することができるフォールディング部１５０、１６０を含む。フォールディング部１５０、１６０は、端末装置ボディー１１０自体の一端に形成された柔軟性を有する部分であって、３６０度以内の角度でベンディングし、折畳と広げ動作するヒンジ役割をすることができる。
【００３２】
フォールディング部１５０、１６０は、図６ａに示すように端末装置ボディー１１０の真中央領域に形成されることができ、端末装置ボディー１１０の上端または下端方向に延びた比率が互いに相異または同一に配置できる。但し、フォールディング部１５０、１６０の配置領域に対してこのように限定しないことがある。
【００３３】
フォールディング部１５０、１６０は、端末装置ボディー１１０の内側に構成されるフォールディング部１５０と端末装置ボディー１１０の外側に構成されるフォールディング部１６０とを分離して別に構成することもでき、一体型に構成することもできる。本発明の実施形態では説明の便宜のために一体型のフォールディング部である仮定下に説明することにするが、図７に示すように分離型のフォールディング部１５０、１６０で具現できることを知らせておく。
【００３４】
端末装置ボディー１１０の縁の一端にフック１１２と、フレキシブル携帯端末装置１００のフォールディング時、上記一端に対向する他端に備えられてフック１１２と締結されるフック溝１１４とをさらに含むことができる。このようなフック１１２とフック溝１１４との結合によりフレキシブル携帯端末装置１００がフォールディングされた状態で固定できる。
【００３５】
また、スライド１７０を離脱しないようにガイドするガイド部１３１、１３２を含んで構成できる。下端のスライディング部も同様にスライド１７２、スロット１２２、及びガイド部１４１、１４２を含んで構成できる。
【００３６】
以下、図９から図１１を参照してフォールディング部１６０の具体的な構造について詳細に説明する。
【００３７】
図９を参照すると、フォールディング部１６０は端末装置ボディー１１０の一部自体に形成された構造、または端末装置ボディー１１０と分離的に形成されて端末装置ボディー１１０と結合された構造で形成することもできる。
【００３８】
フォールディング部１６０は、前面と背面の断面が歯形態の凹凸構造で形成できる。本発明の実施形態によるフォールディング部１６０は、ベンディングされる部分を歯形態の凹凸構造で形成することによって、ベンディング時、材料が延びる比率である延伸率（ｅｌｏｎｇａｔｉｏｎ）と柔軟性を高めることができる。
【００３９】
また、フォールディング部１６０は前面と背面、即ち両面に形成された凹凸構造により携帯端末装置１００が前面と背面にフォールディングまたはベンディングされるようにすることができる。
【００４０】
図８に図示された屈曲のない断面で構成された硬質の材料２０と比較すると、ベンディング時、歯形態の凹凸構造を含むフォールディング部１６０がベンディング部分が遥かに易しく延びることができることが分かる。また、硬質の材料２０の下部に軟質の材料１０を付着することができる。
また、このようなフォールディング部１６０は端末装置ボディー１１０自体に凹凸構造を形成してフレキシブル携帯端末装置を具現することによって、フレキシブル携帯端末装置１００にヒンジのような装置を追加で具備しなくてもよく、これによって、携帯端末装置の全体的な厚さを増やさないながらも、電子気的な影響を及ぼさない長所がある。
【００４１】
図１０は、端末装置ボディーの前面と背面にフォールディング部として形成された凹凸構造の側断面を概略的に示す図である。
【００４２】
図（１０−１）は、携帯端末装置１００のベンディングやフォールディング時、フレキシブルディスプレイ３００の破損を防止するために構造物の間に成立しなければならない最小限の数式を説明するための図である。
【００４３】
本発明の一実施形態によって、携帯端末装置のベンディングまたはフォールディング時、フレキシブルディスプレイが維持しなければならない最小のしきい値は、フォールディング部１６０の上辺長さ、フォールディング部１６０の厚さ、フォールディング部１６０の個数及び隣り合う凹凸間の角、歯構造全体区間長さのうち、少なくとも１つに基づいて決定できる。
【００４４】
また、本発明の一実施形態に従って、図（１０−１）を参照すると、携帯端末装置１００のベンディングやフォールディング時、フレキシブルディスプレイ３００のベンディング部分が破損しないようにするためには最小の直径値（ｘ）が維持されなければならないと仮定することができる。また、以下の説明はフレキシブルディスプレイ３００の限界曲げを維持するための式ということができる。ここで、フォールディング部１６０は相対的に硬質材料で形成され、端末装置カバー２００は軟質材料で形成された例を仮定する。
【００４５】
フォールディング時、フレキシブルディスプレイ３００の限界曲げ値を維持する直径をｘとする場合、歯構造の上辺長さをｙとし、硬質材料の厚さをｔとし、歯構造の個数をｎとすることができる。また、歯構造全体区間長さをＺとし、フレキシブルディスプレイの曲面長さをＺ’に設定することができる。また、各歯（アーク）の間の角が２θとすれば、各値は以下の＜数式１＞、＜数式２＞、及び＜数式３＞を通じて演算できる。
【００４６】
即ち、＜数式１＞を通じて、歯構造の上辺長さｙは最小の直径値ｘにｓｉｎθを掛けた値で演算することができる。
【００４７】
【数１】
2014161009.tif 000003
【００４８】
また、例えば歯車の個数ｎが１の時、夾角は常に２θであるので、歯車の個数がｎ個の時は、２ｎ×θで演算することができる。仮に、携帯端末装置１００が完全にベンディングまたはフォールディング時に、角が常に１８０゜であれば、２ｎ×θ＝１８０゜で演算することができる。ここに、＜数式２＞のような結果式を導出することができる。
【００４９】
【数２】
2014161009.tif 000004
【００５０】
また、例えば、歯車を完全に折り畳んだ時、Ｚ＝Ｚ’と仮定すれば、即ち、直線区間と曲面区間とが等しいと仮定すれば、＜数式３＞のような結果式を導出することができる。より詳しくは、弧の長さを求める公式は２×π×半径×（θ／３６０゜）で表すことができる。ここで、θは夾角を意味する。本発明の一実施形態に従って、半径は（ｘ／２×Ｃｏｓθ＋ｔ）で表すことができるので、＜数式３＞のような結果式を導出することができる。
【００５１】
【数３】
2014161009.tif 000005
【００５２】
数式に基づいて設計者はフォールディング時またはベンディング時、フレキシブルディスプレイの破損防止のためにフォールディング部１６０の歯構造の個数または硬質材料の厚さを調節することができる。
【００５３】
一方、フォールディング部１６０の凹凸構造は、図（１０−１）に示すように前面と背面にエッチングされた部分が互いに対向するように形成されるか、図（１０−２）に示すように前面と背面の各々にエッチングされた部分が互いに交差するように形成できる。また、上記凹凸構造は端末装置ボディー１１０の一部が前面と背面とに各々分離されて形成された以後、上記分離されて形成された前面と背面の縁部分を今後結合させることによって形成できる。または、図（１０−３）に示すように、上記凹凸構造は一体型の端末装置ボディー１１０の一部の前面と背面に形成された構造でありうる。
【００５４】
また、図９を参照すると、フォールディング部１６０はフレキシブル携帯端末装置１００のベンディングまたはフォールディング状態を維持させるフリーストップ（ｆｒｅｅ  ｓｔｏｐ）ヒンジ装置１６４を少なくとももう１つ具備することができる。
【００５５】
フリーストップヒンジ装置１６４は、フォールディング部１６０の前面の凹凸構造を横切るように配置され、その厚さが上記凹凸構造の最上高さと同一であるように成形することによって、携帯端末装置の全体的な厚さを増やさないことがある。
【００５６】
本発明の図面ではフリーストップヒンジ装置１６４を前面の凹凸構造を横切る配置を開示したが、これに限定せず、背面の凹凸構造を横切るように配置することもでき、フレキシブル携帯端末装置１００がベンディングされる領域の縁に実装することもできる。
【００５７】
フリーストップヒンジ装置１６４は、例えば形状記憶合金素材で構成されることができ、ばねやヒンジ構造などで形成されることができ、これに限定せず、フォールディング部１６０のベンディング状態を維持するようにするどんな素材と形態でも採用することができる。
【００５８】
例えば、図１１ａに示すように、フォールディング部１６０が端末装置ボディー１１０の真中央領域に配置されており、前面と背面に複数の凹凸構造を含むと仮定することができる。これに基づいて、フォールディング部１６０の上部と下部を５：５割合で分けるＡ−Ａ’線に沿って携帯端末装置１００をベンディングすれば、図１１ｂに示すように、携帯端末装置１００の上端と下端を５：５割合でベンディングして立てることができることを含むことができる。
【００５９】
または、フォールディング部１６０の下部と上部とを３：７割合で分けるＢ−Ｂ’線に沿って携帯端末装置１００をベンディングすれば、図１１ｃに示すように、携帯端末装置１００の上端と下端を３：７割合でベンディングして立てることができることを含むことができる。
【００６０】
例えば、ベンディングされたフレキシブル携帯端末装置１００の下端は地面に支持され、上端は立てられた状態で、上記下端部分のディスプレイにソフトキーで表示されたキーボードを用いることができ、上端部分は上記キーボードにより入力された信号による出力としての実行画面が表示できる。
【００６１】
更に他の例を挙げれば、図１１ｄのように、フレキシブルディスプレイ３００が前面に畳まれるように半分にフォールディングされたフレキシブル携帯端末装置１００の上端をユーザが指の力を利用して引き下ろせば、上記上端と対向するフレキシブル携帯端末装置１００の下端に粘着されたフレキシブルディスプレイ３００の一端が露出される。
【００６２】
このように、露出されたフレキシブルディスプレイ３００の一端に表示されたインフォーメーションウィンドウが露出できる。上記露出されたインフォメーションウィンドウは、携帯端末装置のバッテリー状態、通信状態、メッセージ受信状態、及び実行中の特定アプリケーションの状態に関する情報などのうち、少なくとも１つを表示することができる。
【００６３】
例えば、フレキシブル携帯端末装置１００がフォールディングされた状態でこの上端や下端を所定の力で押したり引き下ろせたりすれば、フォールディング部１６０のベンディングによりフレキシブル携帯端末装置１００の一部がスライディングできる。また、スライディングによりフレキシブル携帯端末装置１００を完全に開けなくても簡単なスライディング動作によりユーザが最小限の携帯端末装置に関するインフォメーションを確認することができる。
【００６４】
一方、図２や図５に示すようにフォールディング部１６０は前述したように、前面と背面を凹凸構造で形成したので、端末装置のボディー１１０の厚さが厚くても延伸率を高めた一方、フレキシブルディスプレイ３００は延伸率がほとんどなくても相対的に厚さが極めて薄いので、ベンディングまたはフォールディングされることを含むことができる。
【００６５】
このような延伸率の差によって、フレキシブル携帯端末装置１００のベンディングやフォールディング時、フォールディング部１６０がベンディングされる方向と反対である外部は引張され、ベンディングされる内部は圧縮されることによって、フレキシブルディスプレイ３００は携帯端末装置１００の外郭方向に押出されたり、内郭方向に引っ張られたりするようになる。
【００６６】
具体的に、フレキシブル携帯端末装置１００を前面にフォールディングすれば、フレキシブルディスプレイ３００がフォールディング部１６０に対向する部分で圧縮できず、フォールディング部１６０の圧縮程度に比例してフレキシブルディスプレイ３００の縁が外方に押し出されることができる。
【００６７】
反対に、フレキシブル携帯端末装置１００を背面にフォールディングすれば、フレキシブルディスプレイ３００がフォールディング部１６０に対向する部分で延長できす、フォールディング部１６０の延長程度に比例してフレキシブルディスプレイ３００の縁が内方に引っ張られることができる。
【００６８】
したがって、上記のようなフレキシブル携帯端末装置１００のベンディングやフォールディング時、フォールディング部１６０とフレキシブルディスプレイ３００との延伸率の差によって、端末装置ボディー１１０に粘着されたフレキシブルディスプレイ３００が端末装置ボディー１１０から離脱したり、表面が潰れる等の破損問題が発生することがある。
【００６９】
したがって、本発明の実施形態ではこのような問題を解決するための構造として、図６ａに示すような、フレキシブル携帯端末装置１００のベンディングやフォールディングによってフレキシブルディスプレイ３００をスライディングさせることができるスライディング部を開示する。
【００７０】
図６ａを参照すると、本発明のスライディング部はフォールディング部１６０を基準に端末装置ボディー１１０の上端と下端に各々備えられることができる。上端のスライディング部は、スライド１３０、スライド１３０のスライディング範囲の限定のためのスロット１２０、スライド１７０を離脱しないようにガイドするガイド部１３１、１３２を含んで構成できる。下端のスライディング部も同様にスライド１７２、スロット１２２、ガイド部１４１、１４２を含んで構成できる。
【００７１】
フレキシブルディスプレイ３００は、フォールディング部１６０の複数の凹凸構造のうち、中心部分の少なくとも１つの凸な面１８０に粘着され、上端と下端のスライド１７０、１７２の表面に各々粘着できるが、フレキシブルディスプレイ３００が端末装置ボディー１１０と粘着される部分をこれに限定しないことがある。
【００７２】
特に、本発明のフレキシブル携帯端末装置１００用フレキシブルディスプレイ３００は、フォールディング部１６０と互いに異なる延伸率によりベンディングやフォールディング時に発生する押出や引張による破損、離脱に対処するように端末装置ボディー１１０に対向する面の全体に粘着されず、端末装置ボディー１１０の一部に粘着できる。
【００７３】
図６ｂを参照すると、これに併せてフレキシブルディスプレイ３００の離脱を防止し、フレキシブルディスプレイ３００と端末装置ボディー１１０との間のギャップを外部に露出させず、カバーすることができるノッチ２２２をフレキシブルディスプレイ３００の縁と対向する端末装置ボディー１１０の縁面に形成することができる。
【００７４】
以下、図１２から図１４を参照して、上記スライディング部に関して詳細に説明する。図１２は本発明の実施形態に従うフレキシブル携帯端末装置が広げられた場合の例を概略的に示す図であり、図１３は本発明の実施形態に従うフレキシブル携帯端末装置が前面にフォールディングされた場合の例を概略的に示す図であり、図１４は本発明の実施形態に従うフレキシブル携帯端末装置が背面にフォールディングされた場合の例を概略的に示す図である。
【００７５】
図１２の（ｃ）を参照すると、まず設計者によりフォールディング部１６０が広げられた状態でスライド１３０、１４０がスロット１２０、１２２の中段部位にスライディングされるように設定された場合を仮定することができる。
【００７６】
また、スライド１７０を離脱しないようにガイドするガイド部１３１、１３２を含んで構成できる。下端のスライディング部も同様にスライド１７２、スロット１２２、ガイド部１４１、１４２を含んで構成できる。
【００７７】
フレキシブル携帯端末装置１００の前面が（ｂ）のように露出してフレキシブルディスプレイ３００が露出するようにフォールディング部１６０が１８０度程度に広げられた場合、フォールディング部１６０の側面は（ａ）のように広げられた状態となる。
【００７８】
上端スライディング部のスライド１３０は、スロット１２０の中断部位にスライディングされ、スライド１３０の上記のようなスライディングによってスライド１３０面に粘着されたフレキシブルディスプレイ３００の上端もスライドされて、フレキシブルディスプレイ３００の上端が端末装置ボディー１１０からの離脱や破損無しで広げられることができる。
【００７９】
同様に、下端スライディング部のスライド１４０はスロット１２２の中断部位にスライディングされ、スライド１４０の上記のようなスライディングによってスライド１４０面に粘着されたフレキシブルディスプレイ３００の下端もスライドされて、フレキシブルディスプレイ３００の下端が端末装置ボディー１１０からの離脱や破損無しで広げられることができる。
【００８０】
図１３の（ｃ）を参照すると、スライド１７０を離脱しないようにガイドするガイド部１３１、１３２を含んで構成できる。
【００８１】
また、設計者によりフォールディング部１６０が前面に最大限フォールディングされる状態でスライド１３０、１４０がスロット１２０、１２２の最外郭にスライディングされるように設定された場合を仮定することができる。フレキシブル携帯端末装置１００の前面が内側に向かうようにフォールディングされた場合、フォールディング部１６０の側面は（ａ）のような状態となる。即ち、フォールディング部１６０は前面と背面の凹凸構造による高い延伸率によりフォールディングされた内側は圧縮され、フォールディングされた外側は引張される反面、フレキシブルディスプレイ３００は延伸率が低くてフォールディングされた内側と外側が圧縮または引張されず、フォールディング部１６０のフォールディングにより上端の縁と下端の縁が各々外側に押出されるようになる。
【００８２】
この際、上端スライディング部のスライド１３０はスロット１２０の最外郭までスライディングされ、スライド１３０の上記のようなスライディングによってスライド１３０面に粘着されたフレキシブルディスプレイ３００の上端も外郭方向にスライドされて、フレキシブルディスプレイ３００の上端が端末装置ボディー１１０からの離脱や破損無しで広げられることができる。
【００８３】
同様に、図示してはいないが、下端スライディング部のスライド１４０はスロット１２２の最外郭までスライディングされ、スライド１４０の上記のようなスライディングによってスライド１４０面に粘着されたフレキシブルディスプレイ３００の下端の外郭方向にスライドされて、フレキシブルディスプレイ３００の下端が端末装置ボディー１１０からの離脱や破損無しで広げられることができる。
【００８４】
そして、フレキシブルディスプレイ３００はフレキシブルディスプレイ３００の縁に対向して端末装置ボディー１１０に形成されたノッチ２２２（図６ｂ参照）により縁部位がカバーされるので、フレキシブル携帯端末装置１００のベンディングやフォールディングによってスライディングされても、フレキシブルディスプレイ３００のスライディング駆動により端末装置ボディー１１０の内部部品が露出するか、またはフレキシブルディスプレイ３００が縁で浮き立つ現象が防止できる。
【００８５】
ここで、ノッチ２２２がフレキシブルディスプレイ３００に対向する面はシャムード、スエード、超極細糸綿などのフレキシブルディスプレイ３００の表面を保護する材質の素材で形成できる。
【００８６】
図１４の（ｃ）を参照すると、スライディング部は、スロット１２０、１２２の両端にスライド１３０、１４０のスライディングをガイドするガイド部１３１を含むことができる。
【００８７】
また、設計者によりフォールディング部１６０が背面に最大限フォールディングされる状態でスライド１３０、１４０がスロット１２０、１２２の最内郭にスライディングされるように設定された場合を仮定することができる。
【００８８】
フレキシブル携帯端末装置１００の背面が内側に向かって、前面が外側にフォールディングされた場合、フォールディング部１６０の側面は（ａ）のような状態となる。即ち、フォールディング部１６０は前面と背面の凹凸構造による高い延伸率によりフォールディングされた内側は圧縮され、フォールディングされた外側は引っ張られる。一方、フレキシブルディスプレイ３００は延伸率が低くて、フォールディングされた内側と外側が圧縮または引張されず、端末装置ボディー１１０の厚さによってフォールディング時に上端と下端の縁が内方に引っ張られるようになる。
【００８９】
この際、上端スライディング部のスライド１３０はスロット１２０の最内郭までスライディングされ、スライド１３０の上記のようなスライディングによってスライド１３０面に粘着されたフレキシブルディスプレイ３００の上端も内郭方向にスライドされて、フレキシブルディスプレイ３００の上端が端末装置ボディー１１０からの離脱や破損無しで内郭に引っ張られることができる。
【００９０】
同様に、図示してはいないが、下端スライディング部のスライド１４０はスロット１２２の最内郭までスライディングされ、スライド１４０の上記のようなスライディングによってスライド１４０面に粘着されたフレキシブルディスプレイ３００の下端の内郭方向にスライドされて、フレキシブルディスプレイ３００の下端が端末装置ボディー１１０からの離脱や破損無しで内郭に引っ張られることができる。
【００９１】
図１６及び図１７は、本発明の実施形態に従う端末装置カバーの詳細な構造を説明するための図である。
【００９２】
図１６及び図１７を参照すると、本発明の実施形態はワンボディー（ｏｎｅｂｏｄｙ）携帯端末装置１００の形状のためにフレキシブルディスプレイ３００を除外した携帯端末装置１００の３面を覆いかぶせる端末装置カバー２００を製作する時、端末装置カバー２００が前面や背面に畳まれる部分の皺みまたは広げの問題解決のための形状を提案することができる。
【００９３】
即ち、一般的に図１５に図示された携帯端末装置１００の断面のように製造される端末装置カバー２００の縁を図１６に示すような形状に製造する技術を提案する。
【００９４】
具体的に、端末装置カバー２００の縁がフレキシブルディスプレイ３００と接する端部から折曲（Ｃ．  ｃｕｔ）される。この際、端末装置カバー２００の上記端部から折り曲げられた斜線はフォールディング部１６０の垂直線上の高さと同一になる線まで形成できる。即ち、折曲が終わる部分（上記斜線の端）はフォールディング部１６０一面と同一平面上に形成できる。このような端末装置カバー２００の前面方向の縁領域を第１折曲部と命名することにする。
【００９５】
同様に、上記第１折曲部が形成された端末装置カバー２００の反対側の端末装置カバー２００の表面から端末装置カバー２００の縁も折曲（Ｃ．  ｃｕｔ）形成することができる。この際、端末装置カバー２００の表面から折り曲げられた斜線はフォールディング部１６０が始まる垂直線上の高さと同一になる線まで形成できる。このような端末装置カバー２００の背面方向の縁領域を第２折曲部と命名することができる。
【００９６】
上記第１折曲部と第２折曲部は、端末装置カバー２００の縁で互いに対向しながら反対方向に形成されるということができる。上記第１折曲部と第２折曲部の傾き角度はフォールディング部１６０と端末装置カバー２００の厚さ差によって互いに相異することができる。
【００９７】
特に、本発明の実施形態は硬質の材料で形成されたフォールディング部１６０に隣接した軟質の材料で形成された端末装置カバー２００の縁部分を折り曲げられるように形成することを特徴とする。
【００９８】
このように、端末装置カバー２００の縁に形成された上記第１折曲部により携帯端末装置１００を前面や背面にフォールディング時、端末装置カバー２００が畳まれる部分で硬質の材料と軟質の材料との間の延伸率の差による揉み、変形、広げなどの問題の発生を防止することができる。
【００９９】
図１８は、本発明の実施形態に従うフレキシブル携帯端末装置の製造のための一部工程断面である。
【０１００】
図１８を参照すると、フォールディング部１６０を含む端末装置ボディー１１０と端末装置カバー２００は二重射出により形成できる。一次的に端末装置ボディー１１０を内部構造物として成形した後、端末装置ボディー１１０の一面を露出させる。
【０１０１】
ここで、端末装置ボディー１１０はプラスチック樹脂組成物であるアクリロニトリル−ブタジエン−スチレンブレンド（ＡＢＳ）、ポリカーボネート（ＰＣ）、ＰＯＭ（Ａｃｅｔａｌ  Ｒｅｓｉｎ）のような非金属性材料のうち、少なくとも１つのような硬質の素材で形成できる。
【０１０２】
２次的に、端末装置ボディー１１０の周囲をオーバーモールディング（ｏｖｅｒ  ｍｏｌｄｉｎｇ）をし、露出した端末装置ボディー１１０の上位とオーバーモールディングされた部分の上位に端末装置カバー２００を成形する。上記オーバーモールディング時、端末装置カバー２００の縁に上記第２折曲部を形成するように端末装置ボディー１１０の周囲を傾斜するようにモールディングすることができる。
【０１０３】
ここで、端末装置カバー２００は、ラバー（ｒｕｂｂｅｒ）、ウレタン（ｕｒｅｔｈａｎｅ）、シリコン（ｓｉｌｉｃｏｎ）、革、ＴＰＥ、ＴＰＵなどのうち、いずれか１つまたはこれらのうちの少なくとも１つ以上の結合素材としての軟質材料で形成できる。
【０１０４】
これによって、異種素材の二重射出を完成することができる。
【０１０５】
以後、端末装置カバー２００の縁に第１折曲部を形成するために端末装置カバー２００の縁を部分エッチングすることができる。
【０１０６】
前述したような本発明のフレキシブル携帯端末装置は、携帯端末装置の利用用途とユーザの意図によってフレキシブル携帯端末装置を多様な角度でベンディングすることができる利点がある。
【０１０７】
具体的に、フレキシブル携帯端末装置のベンディング時、端末装置ボディーのベンディング部分とフレキシブルディスプレイの延伸率の差によって発生する圧縮／引張程度の差によってフレキシブルディスプレイの一端をスライディングさせることによって、フレキシブルディスプレイが端末装置ボディーから離脱または破損することを防止することができる。
【０１０８】
また、本発明は、利用時、フレキシブル携帯端末装置の上端と下端との比率を多様に調節してベンディング状態を維持させることによって、フレキシブル携帯端末装置を多重角度で据え置くことができ、操作が容易で、かつ携帯の簡便性を提供する利点がある。
【０１０９】
併せて、本発明はフレキシブル携帯端末装置のフォールディング状態維持構造において磁性を省略することによって、携帯端末装置の運用及び作動に電気的、物理的影響をほとんど及ぼさないで装置の信頼性を向上させることができる。
【０１１０】
一方、本明細書及び図面に開示された本発明の実施形態は、本発明の技術内容を易く説明し、本発明の理解を助けるために特定の例を提示したものであり、本発明の範囲を限定しようとするものではない。即ち、本発明の技術的思想に基づいた他の変形例が実施可能であるということは、本発明が属する技術分野で通常の知識を有する者に自明である。
【符号の説明】
【０１１１】
１００    フレキシブル携帯端末装置
１１０    端末装置ボディー
２００    端末装置カバー
１２０、１２２    スロット
１３０、１４０    スライド
１３２、１４２、１３１、１４１    ガイド部
１１２    フック
１１４    フック溝
１６０    フォールディング部
１６４    フリーストップヒンジ装置
２２２    ノッチ
３００    フレキシブルディスプレイ
【図１】
2014161009.tif 000007
【図２】
2014161009.tif 000008
【図３】
2014161009.tif 000009
【図４】
2014161009.tif 000010
【図５】
2014161009.tif 000011
【図６ａ】
2014161009.tif 000012
【図６ｂ】
2014161009.tif 000013
【図７】
2014161009.tif 000014
【図８】
2014161009.tif 000015
【図９】
2014161009.tif 000016
【図１０】
2014161009.tif 000017
【図１１ａ】
2014161009.tif 000018
【図１１ｂ】
2014161009.tif 000019
【図１１ｃ】
2014161009.tif 000020
【図１１ｄ】
2014161009.tif 000021
【図１２】
2014161009.tif 000022
【図１３】
2014161009.tif 000023
【図１４】
2014161009.tif 000024
【図１５】
2014161009.tif 000025
【図１６】
2014161009.tif 000026
【図１７】
2014161009.tif 000027
【図１８】
2014161009.tif 000028